【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
複数の端子を備えた機器本体に着脱自在に装着されて該機器本体に給電可能な電池パックであって、
上側ハウジングと下側ハウジングとからなるハウジングと、
該ハウジング内に収容される複数の電池セルと、
該電池セルと該上側ハウジングとの間に配置される基板と、
該基板に設けられた第１の端子と、
該基板に設けられ該電池セルの充電及び放電の少なくとも一方を制御するための信号が伝達される第２の端子と、を有し、
該第１の端子及び該第２の端子は開口端部と、底部と、該開口端部と該底部とを接続する一対の腕部と、該底部から該基板に向けて伸長する脚部と、を有し、
該第１の端子と該第２の端子は、該機器本体の端子が、該開口端部をそれぞれ押し広げるように圧入されることで、該機器本体の端子と電気的に接続される構成とし、
該第１の端子の板厚は該第２の端子の板厚よりも厚く、該第１の端子と該機器本体の対応する端子との嵌合圧力が、該第２の端子と該機器本体の対応する端子との嵌合圧力よりも大きいことを特徴とする電池パック。
【請求項２】
該機器本体は、モータと、該モータの駆動を制御する制御部とを有する電動工具であることを特徴とする請求項１に記載の電池パック。
【請求項３】
電動工具と、該電動工具に着脱自在に装着される電池パックとの組み合わせであって、
該電動工具は、
モータと、
該モータの駆動を制御する制御部と、
該モータを駆動するための電力端子と、
該制御部と接続する信号伝達端子とを有し、
該電池パックは、
上側ハウジングと下側ハウジングからなるハウジングと、
該ハウジング内に収容される複数の電池セルと、
該電池セルと該上側ハウジングとの間に配置される基板と、
該基板に設けられ、該電力端子に電力を供給する第１の端子と、
該基板に設けられ、該信号伝達端子に信号を伝達する第２の端子と、を有し、
該第１の端子は、開口端部と、底部と、該開口端部と該底部とを接続する一対の腕部と、該底部から該基板に向けて伸長する脚部と、を有すると共に、該電力端子が該開口端部を押し広げるように圧入されることで、該電力端子と電気的に接続され、
該第２の端子は、開口端部と、底部と、該開口端部と該底部とを接続する一対の腕部と、該底部から該基板に向けて伸長する脚部と、を有すると共に、該信号伝達端子が該開口端部を押し広げるように圧入されることで、該信号伝達端子と電気的に接続され、
該第１の端子の板厚は該第２の端子の板厚よりも厚く、該第１の端子と該電力端子との嵌合圧力が、該第２の端子と該信号伝達端子との嵌合圧力よりも大きいことを特徴とする電動工具と電池パックとの組み合わせ。
【請求項４】
電動工具と、該電動工具に着脱自在に装着される電池パックと、該電池パックを充電可能な充電器との組み合わせであって、
該電動工具は、
モータと、
該モータの駆動を制御する制御部と、
該モータを駆動するための電力端子と、
該制御部と接続する信号伝達端子と、を有し、
該電池パックは、
上側ハウジングと下側ハウジングからなるハウジングと、
該ハウジング内に収容される複数の電池セルと、
該電池セルと該上側ハウジングとの間に配置される基板と、を有すると共に、
該電池パックが該電動工具に装着された際に、該電力端子に嵌合可能な第１の端子と該信号伝達端子に嵌合可能な第２の端子とを該基板に有し、
該充電器は、電源と接続可能であり、該電池パックが着脱自在に装着可能な装着部を有すると共に、該電池パックが該充電器に装着された際に、該第１の端子に嵌合可能な給電端子と該第２の端子に嵌合可能な信号端子とを該装着部に有し、
該第１の端子は、開口端部と、底部と、該開口端部と該底部とを接続する一対の腕部と、該底部から該基板に向けて伸長する脚部と、を有すると共に、該電力端子又は該給電端子が該開口端部を押し広げるように圧入されることで、該電力端子又は該給電端子と電気的に接続され、
該第２の端子は、開口端部と、底部と、該開口端部と該底部とを接続する一対の腕部と、該底部から該基板に向けて伸長する脚部と、を有すると共に、該信号伝達端子又は該信号端子が該開口端部を押し広げるように圧入されることで、該信号伝達端子又は該信号端子と電気的に接続され、
該第１の端子の板厚は該第２の端子の板厚よりも厚く、該第１の端子と該電力端子又は該給電端子との嵌合圧力が、該第２の端子と該信号伝達端子又は該信号端子との嵌合圧力よりも大きいことを特徴とする電動工具と電池パック及び充電器との組み合わせ。
【請求項５】
モータと、該モータの駆動を制御する制御部と、該モータに電力を供給する電力端子と、該制御部に制御信号を伝達するための信号伝達端子とを有する電動工具に着脱自在に装着される電池パックであって、
ハウジングと、
該ハウジングに収容される電池セル群と、
該電池セル群の電圧を該電力端子に印加する正極端子及び負極端子と、該電池パックを制御する信号を該信号伝達端子に供給するための信号伝達端子とを含む端子配置部を備え、
該正極端子、該負極端子及び該信号伝達端子は全て、導電性の平板状部材をＵ字形に湾曲しＵ字形の開口端部近傍を互いに圧接するように形成すると共に、該電池パックを該電動工具に装着するときの差し込み方向と直交する方向に列状に配置し、
該端子配置部の中心を通って該差し込み方向と平行な仮想中心線の一方の側に該負極端子を配置すると共に、他方の側に該正極端子を配置し、
該正極端子及び該負極端子の平板の厚みを該信号伝達端子の平板の厚みより厚くしたことを特徴とする電池パック。
【請求項６】
電池パックと、該電池パックによって給電可能な電動工具との組み合わせであって、該電動工具は、
モータと、
該モータの駆動を制御する制御部と、
該モータに電力を供給する電力端子と、
該制御部に制御信号を伝達するための信号伝達端子とからなり、
該電池パックは、
ハウジングと、
該ハウジングに収容される電池セル群と、
該電池セル群の電圧を該電力端子に印加する正極端子及び負極端子と、該電池パックを制御する信号を該電動工具の信号伝達端子に供給するための信号伝達端子とを含む端子配置部を備え、
該正極端子、該負極端子及び該信号伝達端子は全て導電性の平板状部材をＵ字形に湾曲しＵ字形の開口端部近傍を互いに圧接するように形成すると共に、該電池パックを該電動工具に装着するときの差し込み方向と直交する方向に列状に配置し、
該端子配置部の中心を通って該差し込み方向と平行な仮想中心線の一方の側に該負極端子を配置すると共に、他方の側に該正極端子を配置し、
該正極端子及び該負極端子の平板の厚みを該信号伝達端子の平板の厚みより厚くしたことを特徴とする特徴とする電池パックと充電器の組み合わせ。
【請求項７】
充電器に装着して充電可能な電池パックであって、
ハウジングと、
該ハウジングに収容される電池セル群と、
該充電器の電源端子から充電電圧を印加される正極端子及び負極端子と、
該電池パックの制御用信号を伝達するための信号伝達端子とを備え、
該正極端子、該負極端子及び該信号伝達端子は全て導電性の平板状部材をＵ字形に湾曲しＵ字形の開口端部近傍を互いに圧接するように形成すると共に、該電池パックを該充電器に装着するときの差し込み方向と直交する方向に列状に配置し、
該端子配置部の中心を通って該差し込み方向と平行な仮想中心線の一方の側に該負極端子を配置すると共に、他方の側に該正極端子を配置し、
該正極端子及び該負極端子の少なくとも一方の平板の厚みを該信号伝達端子の平板の厚みより厚くしたことを特徴とする電池パック。
【請求項８】
電池パックと充電器との組み合わせであって、
該充電器は電池を充電するための電源端子を有し、
該電池パックは、
ハウジングと、
該ハウジングに収容される電池セル群と、
該電源端子から充電電圧を印加される正極端子及び負極端子と、
該電池パックの制御用信号を伝達するための信号伝達端子とを備え、
該正極端子、該負極端子及び該信号伝達端子は全て導電性の平板状部材をＵ字形に湾曲しＵ字形の開口端部近傍を互いに圧接するように形成すると共に、該電池パックを該充電器に装着するときの差し込み方向と直交する方向に列状に配置し、
該端子配置部の中心を通って該差し込み方向と平行な仮想中心線の一方の側に該負極端子を配置すると共に、他方の側に該正極端子を配置し、
該正極端子及び該負極端子の少なくとも一方の平板の厚みを該信号伝達端子の平板の厚みより厚くしたことを特徴とする電池パックと充電器の組み合わせ。
【手続補正２】
【補正対象書類名】明細書
【補正対象項目名】０００５
【補正方法】変更
【補正の内容】
【０００５】
本発明の電池パックは、複数の端子を備えた機器本体に着脱自在に装着されて該機器本体に給電可能な電池パックであって、上側ハウジングと下側ハウジングとからなるハウジングと、該ハウジング内に収容される複数の電池セルと、該電池セルと該上側ハウジングとの間に配置される基板と、該基板に設けられた第１の端子と、該基板に設けられ該電池セルの充電及び放電の少なくとも一方を制御するための信号が伝達される第２の端子と、を有し、該第１の端子及び該第２の端子は開口端部と、底部と、該開口端部と該底部とを接続する一対の腕部と、該底部から該基板に向けて伸長する脚部と、を有し、該第１の端子と該第２の端子は、該機器本体の端子が、該開口端部をそれぞれ押し広げるように圧入されることで、該機器本体の端子と電気的に接続される構成とし、該第１の端子の板厚は該第２の端子の板厚よりも厚く、該第１の端子と該機器本体の対応する端子との嵌合圧力が、該第２の端子と該機器本体の対応する端子との嵌合圧力よりも大きいことを特徴とする電池パック。
【手続補正３】
【補正対象書類名】明細書
【補正対象項目名】００１０
【補正方法】変更
【補正の内容】
【００１０】
本発明の電動工具と、該電動工具に着脱自在に装着される電池パックとの組み合わせは、該電動工具は、モータ、該モータの駆動を制御する制御部と、該モータを駆動するための電力端子と、該制御部と接続する信号伝達端子とを有し、該電池パックは、上側ハウジングと下側ハウジングからなるハウジングと、該ハウジング内に収容される複数の電池セルと、該電池セルと該上側ハウジングとの間に配置される基板と、該基板に設けられ、該電力端子に電力を供給する第１の端子と、該基板に設けられ、該信号伝達端子に信号を伝達する第２の端子と、を有し、該第１の端子は、開口端部と、底部と、該開口端部と該底部とを接続する一対の腕部と、該底部から該基板に向けて伸長する脚部と、を有すると共に、該電力端子が該開口端部を押し広げるように圧入されることで、該電力端子と電気的に接続され、該第２の端子は、開口端部と、底部と、該開口端部と該底部とを接続する一対の腕部と、該底部から該基板に向けて伸長する脚部と、を有すると共に、該信号伝達端子が該開口端部を押し広げるように圧入されることで、該信号伝達端子と電気的に接続され、該第１の端子の板厚は該第２の端子の板厚よりも厚く、該第１の端子と該電力端子との嵌合圧力が、該第２の端子と該信号伝達端子との嵌合圧力よりも大きくなるように構成されている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の電動工具と、該電動工具に着脱自在に装着される電池パックと、該電池パックを充電可能な充電器との組み合わせは、該電動工具は、モータと、該モータの駆動を制御する制御部と、該モータを駆動するための電力端子と、該制御部と接続する信号伝達端子と、を有し、該電池パックは、上側ハウジングと下側ハウジングからなるハウジングと、該ハウジング内に収容される複数の電池セルと、該電池セルと該上側ハウジングとの間に配置される基板と、を有すると共に、該電池パックが該電動工具に装着された際に、該電力端子に嵌合可能な第１の端子と該信号伝達端子に嵌合可能な第２の端子とを該基板に有し、該充電器は、電源と接続可能であり、該電池パックが着脱自在に装着可能な装着部を有すると共に、該電池パックが該充電器に装着された際に、該第１の端子に嵌合可能な給電端子と該第２の端子に嵌合可能な信号端子とを該装着部に有し、該第１の端子は、開口端部と、底部と、該開口端部と該底部とを接続する一対の腕部と、該底部から該基板に向けて伸長する脚部と、を有すると共に、該電力端子又は該給電端子が該開口端部を押し広げるように圧入されることで、該電力端子又は該給電端子と電気的に接続され、該第２の端子は、開口端部と、底部と、該開口端部と該底部とを接続する一対の腕部と、該底部から該基板に向けて伸長する脚部と、を有すると共に、該信号伝達端子又は該信号端子が該開口端部を押し広げるように圧入されることで、該信号伝達端子又は該信号端子と電気的に接続され、該第１の端子の板厚は該第２の端子の板厚よりも厚く、該第１の端子と該電力端子又は該給電端子との嵌合圧力が、該第２の端子と該信号伝達端子又は該信号端子との嵌合圧力よりも大きくなるように構成されている。
【手続補正６】
【補正対象書類名】明細書
【補正対象項目名】００１３
【補正方法】変更
【補正の内容】
【００１３】
本発明の電池パックはモータと、該モータの駆動を制御する制御部と、該モータに電力を供給する電力端子と、該制御部に制御信号を伝達するための信号伝達端子とを有する電動工具に着脱自在に装着される電池パックであって、ハウジングと、該ハウジングに収容される電池セル群と、該電池セル群の電圧を該電力端子に印加する正極端子及び負極端子と、該電池パックを制御する信号を該信号伝達端子に供給するための信号伝達端子とを含む端子配置部を備え、該正極端子、該負極端子及び該信号伝達端子は全て、導電性の平板状部材をＵ字形に湾曲しＵ字形の開口端部近傍を互いに圧接するように形成すると共に、該電池パックを該電動工具に装着するときの差し込み方向と直交する方向に列状に配置し、該端子配置部の中心を通って該差し込み方向と平行な仮想中心線の一方の側に該負極端子を配置すると共に、他方の側に該正極端子を配置し、該正極端子及び該負極端子の平板の厚みを該信号伝達端子の平板の厚みより厚くなるように構成されている。また、本発明の電池パックは、充電器に装着して充電可能な電池パックであって、ハウジングと、該ハウジングに収容される電池セル群と、該充電器の電源端子から充電電圧を印加される正極端子及び負極端子と、該電池パックの制御用信号を伝達するための信号伝達端子とを備え、該正極端子、該負極端子及び該信号伝達端子は全て導電性の平板状部材をＵ字形に湾曲しＵ字形の開口端部近傍を互いに圧接するように形成すると共に、該電池パックを該充電器に装着するときの差し込み方向と直交する方向に列状に配置し、該端子配置部の中心を通って該差し込み方向と平行な仮想中心線の一方の側に該負極端子を配置すると共に、他方の側に該正極端子を配置し、該正極端子及び該負極端子の少なくとも一方の平板の厚みを該信号伝達端子の平板の厚みより厚くなるように構成されている。この構成により、電池パックを機器本体に装着するとき、より大きな力を要する第１の端子が、中心線を介在させて離れて配置されているために、第１の端子及び第２の端子と機器本体の対応する端子との嵌合圧入に必要な力を第１の長さに亘り略均一に分散させることができる。従って、電池パックの機器本体に対する装着を円滑に行うことができる。
【手続補正７】
【補正対象書類名】明細書
【補正対象項目名】００１４
【補正方法】変更
【補正の内容】
【００１４】
また、好ましくは、該機器本体は、モータと、該モータの駆動を制御する制御部とを有する電動工具である。通常、電動工具は、動作に伴い振動を発生させる。その振動が、電動工具と電池パックとの装着部分に作用しても、第１の端子と電動工具の対応する端子との嵌合圧入部の嵌合圧力が高いために、嵌合圧入部は、かかる振動に耐えて、第１の端子と電動工具の端子との接触不良を抑制する。従って、第１の端子と電動工具側の端子との嵌合部における接触抵抗の増大が抑制されるので、電動工具への給電に伴う第１の端子での発熱を抑制できる。その一方で、第２の端子と電動工具側の端子との嵌合圧力が小さいために、電池パックの電動工具に対する着脱を円滑に行うことができる。
【手続補正８】
【補正対象書類名】明細書
【補正対象項目名】００１８
【補正方法】変更
【補正の内容】
【００１８】
また、本発明による電池パックと電動工具との組み合わせは、電池パックと、該電池パックによって給電可能な電動工具との組み合わせであって、該電動工具は、モータと、該モータの駆動を制御する制御部と、該モータに電力を供給する電力端子と、該制御部に制御信号を伝達するための信号伝達端子とからなり、該電池パックは、ハウジングと、該ハウジングに収容される電池セル群と、該電池セル群の電圧を該電力端子に印加する正極端子及び負極端子と、該電池パックを制御する信号を該電動工具の信号伝達端子に供給するための信号伝達端子とを含む端子配置部を備え、該正極端子、該負極端子及び該信号伝達端子は全て導電性の平板状部材をＵ字形に湾曲しＵ字形の開口端部近傍を互いに圧接するように形成すると共に、該電池パックを該電動工具に装着するときの差し込み方向と直交する方向に列状に配置し、該端子配置部の中心を通って該差し込み方向と平行な仮想中心線の一方の側に該負極端子を配置すると共に、他方の側に該正極端子を配置し、該正極端子及び該負極端子の平板の厚みを該信号伝達端子の平板の厚みより厚くなるように構成されている。
【手続補正９】
【補正対象書類名】明細書
【補正対象項目名】００２０
【補正方法】変更
【補正の内容】
【００２０】
さらに、本発明による電池パックと充電器との組み合わせは、電池パックと充電器との組み合わせであって、該充電器は電池を充電するための電源端子を有し、該電池パックは、ハウジングと、該ハウジングに収容される電池セル群と、該電源端子から充電電圧を印加される正極端子及び負極端子と、該電池パックの制御用信号を伝達するための信号伝達端子とを備え、該正極端子、該負極端子及び該信号伝達端子は全て導電性の平板状部材をＵ字形に湾曲しＵ字形の開口端部近傍を互いに圧接するように形成すると共に、該電池パックを該充電器に装着するときの差し込み方向と直交する方向に列状に配置し、該端子配置部の中心を通って該差し込み方向と平行な仮想中心線の一方の側に該負極端子を配置すると共に、他方の側に該正極端子を配置し、該正極端子及び該負極端子の少なくとも一方の平板の厚みを該信号伝達端子の平板の厚みより厚くしなるように構成されている。